(57)【要約】【課題】  荷重試験機に備えられたリミットスイッチ機構において、荷重試験機本体に対するドグの取り付け位置を移動する際に、その作業性の向上を図ることができると共に微調整を容易にできるドグの係合構造を提供することを目的とする。【解決手段】  （ａ）に表したように、ネジ部材９、１０を締め付けて側壁３ａにドグ１２、１３が固定されている際には、ストッパー６０、６１とドグ１２、１３の端部との間に所定の間隙Ｓが構成され、（ｂ）に表したように、ネジ部材９、１０を緩めてドグ１２、１３の固定が解除されている際には、ストッパー６１、６１がドグ１２、１３の端部に当接すると共に、ワッシャ５６、５７と第二の頂部９ｃ、１０ｃとの間に間隙Ｓが構成され、ネジ部材９、１０の軸部を側壁３ａの外側に向かう軸方向に係止するように構成され、ワッシャ５６、５７が付勢部材５８、５９によって、側壁３ａに向かって付勢される。【選択図】  図６
2006327731.tif 000002
【特許請求の範囲】
【請求項１】
試験機本体に対して荷重計を保持する保持部を上下にスライドするスライド機構と、該スライド範囲の所定の位置で、該スライド動作を停止させるリミットスイッチ機構とを備えた荷重試験機において、
試験機本体の側壁に、前記スライド方向に沿って延出して形成されたスライド孔と、
前記スライド孔を介して前記側壁の内方に配設され、ネジ孔を備えたドグと、
前記スライド孔を介して前記側壁の外方に配設され、貫通孔を備えたワッシャと、
軸方向が前記側壁に直交して配設され、前記貫通孔を介して前記ネジ孔に羅合する軸部を備えると共に、一端に該軸部の径より大きい径を有する頂部を備えたネジ部材と、
前記ネジ部材の頂部と前記ワッシャとの間に配設され、該ワッシャを前記側壁に向かって付勢する付勢部材と、
を備えていることを特徴とする荷重試験機のリミットスイッチ機構におけるドグの取り付け構造。
【請求項２】
前記ネジ部材は、前記軸部の前記頂部とは反対側に位置する端部が前記ドグの端部から突出するように構成されて、この突出部に、該軸部の外径方向に突出するストッパーが備えられ、
前記ネジ部材を締め付けて前記側壁にドグが固定されている位置において、前記ストッパーと前記ドグの端部との間に所定の間隙が構成され、前記ネジ部材を緩めてドグの固定が解除されている位置において、前記ストッパーが前記ドグの端部に当接し、該軸部を、前記側壁の外方に向かう軸方向に、係止するように構成されている、
ことを特徴とする請求項１に記載の荷重試験機のリミットスイッチ機構におけるドグの取り付け構造。
【請求項３】
前記ネジ部材の頂部は、端部に設けられた大径部と、一端が前記軸部に連結すると共に他端が前記大径部に連結し、該軸部の径より大きく前記大径部の径より小さい径を有する第二の頂部を備え、
前記第二の頂部が、前記ワッシャを介して前記側壁の反対側に配設され、
前記付勢部材が、線材を螺旋状に巻いて構成されたコイル状のスプリングであって、
前記コイル状のスプリング内方に前記第二の頂部が挿通され、
該スプリングの一端が、前記ネジ部材の頂部に当接して該頂部を側壁と反対方向に付勢すると共に、該スプリングの他端が、前記ワッシャに当接して該ワッシャを側壁に向かって付勢するように配設されている、
ことを特徴とする請求項１又は請求項２に記載の荷重試験機のリミットスイッチ機構におけるドグの取り付け構造。
【発明の詳細な説明】
【技術分野】
【０００１】
本発明は、試験機本体に対して荷重計を保持する保持部を上下にスライドするスライド機構を備えた荷重試験機の、リミットスイッチ機構におけるドグの係合構造に関する。
【背景技術】
【０００２】
従来、荷重計を被試験物の変位方向に沿ってスライドさせることにより被試験物に荷重と変位を加え、荷重計のスライド移動量から被試験物の変位を検出し、荷重と変位とを関連付けて計測できるように構成された荷重試験機がある。
【０００３】
また、前述の荷重試験機において、荷重計がスライド範囲における所定の位置に達するとそのスライド動作を停止するように、試験機本体荷重計に接続され荷重計と一体となってスライドするリミットスイッチと、試験機本体に固定されたドグとを備え、スライド動作に伴って、リミットスイッチがドグに当接し、そのスライド動作を停止するように構成されたリミットスイッチ機構とを備えているものがある（例えば、特許文献１参照）。
【０００４】
また、前記のリミットスイッチ機構におけるドグの係合構造として、ドグが試験機本体にスライド自在に係合し、所定の位置でネジで固定されるように構成されているものがある。
【特許文献１】特開Ｈ１０−１２９９９９号公報
【発明の開示】
【発明が解決しようとする課題】
【０００５】
しかしながら、ドグが試験機本体にスライド自在に係合し、所定の位置でネジで固定されるように構成されたドグの係合構造によれば、ドグの取り付け位置を移動する際に、ネジを緩めると、ドグが試験機本体の下方に落下し易く、作業性が損なわれたり、取り付け位置の微調整が困難になったりする虞があった。
【０００６】
そこで、本発明は、荷重試験機本体にスライド自在に係合するドグを備えたリミットスイッチ機構において、荷重試験機本体に対するドグの取り付け位置を移動する際に、その作業性の向上を図ることができると共に微調整を容易にできるドグの係合構造を提供することを目的とする。
【課題を解決するための手段】
【０００７】
かかる目的を達成するためになされた請求項１に記載の発明は、試験機本体に対して荷重計を保持する保持部を上下にスライドするスライド機構と、該スライド範囲の所定の位置で、そのスライド動作を停止させるリミットスイッチ機構とを備えた荷重試験機において、試験機本体の側壁に、前記スライド方向に沿って延出して形成されたスライド孔と、前記スライド孔を介して前記側壁の内方に配設され、ネジ孔を備えたドグと、前記スライド孔を介して前記側壁の外方に配設され、貫通孔を備えたワッシャと、軸方向が前記側壁に直交して配設され、前記貫通孔を介して前記ネジ孔に羅合する軸部を備えると共に、一端に該軸部の径より大きい径を有する頂部を備えたネジ部材と、前記ネジ部材の頂部と前記ワッシャとの間に配設され、該ワッシャを前記側壁に向かって付勢する付勢部材と、
を備えていることを特徴とするリミットスイッチ機構におけるド試験機本体に対して荷重計を保持する保持部を上下にスライドするスライド機構と、スライド範囲の所定の位置で、そのそのスライド動作を停止させるリミットスイッチ機構とを備えている、ことを特徴とする。
【０００８】
請求項１に記載の荷重試験機のリッミトスイッチ機構におけるドグの係合構造によれば、ドグを試験機本体側壁に固定する際に、ネジ部材を回転させて締めつけると、ネジ部材の軸部がドグに羅合し、試験機本体側壁がワッシャとドグとの間に挟着され、延いてはドグが試験機本体に固定される。一方、ドグの固定を緩める際に、前記と逆方向にネジ部材を回転させると、固定が解除される。この際、付勢部材を介して、ワッシャが試験機本体の側壁に付勢されているので、ドグが、側壁に沿って下方に滑り落ちることがないようにワッシャを介して側壁に支持される。これにより、請求項１に記載の荷重試験機のリッミトスイッチ機構におけるドグの係合構造は、荷重試験機本体に対するドグの取り付け位置を移動する際に、ドグが、ワッシャ及び付勢部材を介して側壁に所定の圧力でスライド自在に支持されているので、その作業性の向上を図ることができると共に取り付け位置の微調整を容易にできる。
【０００９】
次に、請求項２に記載の発明は、請求項１に記載の荷重試験機のリミットスイッチ機構におけるドグの取り付け構造において、前記ネジ部材は、前記軸部の前記頂部とは反対側に位置する端部が前記ドグの端部から突出するように構成されて、この突出部に、該軸部の外径方向に突出するストッパーが備えられ、前記ネジ部材を締め付けて前記側壁にドグが固定されている位置において、前記ストッパーと前記ドグの端部との間に所定の間隙が構成され、前記ネジ部材を緩めてドグの固定が解除されている位置において、前記ストッパーが前記ドグの端部に当接し、該軸部を、前記側壁の外方に向かう軸方向に、係止するように構成されている、ことを特徴とする。
【００１０】
請求項２に記載の荷重試験機のリミットスイッチ機構におけるドグの取り付け構造によれば、ネジ部材は、軸部の前記頂部と反対側に位置する端部がドグの端部から突出するように構成され、この突出部に、軸部の径方向に突出するストッパーが備えられ、ネジ部材を締め付けて側壁にドグが固定されている位置において、ストッパーとドグの端部との間に所定の間隙が構成され、ネジ部材を緩めてドグの固定が解除されている位置において、ストッパーが前記ドグの端部に当接し、軸部を、側壁の外方に向かう軸方向に、係止するように構成されているので、ドグの固定を緩める際に、ネジ部材を回転させると、固定が解除されると共に、ストッパーがドグの端部に当接してその回転が制動され、ワッシャとネジ部材頂部との間に所定の間隙が構成され、付勢部材を介してこの間隙に依存する付勢圧がワッシャに加えられ、延いては、ドグが、試験機本体の側壁に沿って下方に滑り落ちることがないように支持される。そして、この際の付勢圧が、前記ストッパーの当接によって均一に維持される。
【００１１】
次に、請求項３に記載の発明は、請求項１又は請求項２に記載の荷重試験機のリミットスイッチ機構におけるドグの取り付け構造において、前記ネジ部材の頂部は、端部に設けられた大径部と、一端が前記軸部に連結すると共に他端が前記大径部に連結し、該軸部の径より大きく前記大径部の径より小さい径を有する第二の頂部を備え、前記第二の頂部が、前記ワッシャを介して前記側壁の反対側に配設され、前記付勢部材が、線材を螺旋状に巻いて構成されたコイル状のスプリングであって、前記コイル状のスプリング内方に前記第二の頂部が挿通され、該スプリングの一端が、前記ネジ部材の頂部に当接して該頂部を側壁と反対方向に付勢すると共に、該スプリングの他端が、前記ワッシャに当接して該ワッシャを側壁に向かって付勢するように配設されている、ことを特徴とする。
【００１２】
請求項３に記載の荷重試験機のリミットスイッチ機構におけるドグの取り付け構造によれば、コイル状のスプリング内方に第二の頂部が挿通され、スプリングの一端がネジ部材の頂部に当接すると共に、スプリングの他端が前記ワッシャに当接するように配設されているので、ドグを本体側壁に固定する際に、ネジ部材を回転させて締めつけると、ネジ部材の軸部がドグに羅合すると共に第二の頂部の端部がワッシャを加圧し、試験機本体の側壁がワッシャとドグとの間に挟着され、延いてはドグが試験機本体に固定される。一方、ドグの固定を緩める際に、前記と逆方向にネジ部材を回転させると、コイル状のスプリングを介して、ワッシャが試験機本体の側壁に付勢されているので、ドグが、試験機本体の側壁に沿って下方に滑り落ちることがないようにワッシャを介して側壁に支持される。また、この際、付勢部材がコイル状スプリングであって、このコイルに第二の頂部に挿通されているので、安定した付勢圧を発現できる。
【発明の効果】
【００１３】
本発明の荷重試験機のリッミトスイッチ機構におけるドグの係合構造によれば、ドグを本体側壁に固定する際に、ネジ部材を回転させて締めつけると、ネジ部材の軸部がドグに羅合し、試験機本体側壁がワッシャとドグとの間に挟着され、延いてはドグが試験機本体に固定される。一方、ドグの固定を緩める際に、前記と逆方向にネジ部材を回転させると、固定が解除される。この際、付勢部材を介して、ワッシャが試験機本体の側壁に付勢されているので、ドグが、試験機本体の側壁に沿って下方に滑り落ちることがないようにワアシャを介して側壁に支持される。これにより、本発明の荷重試験機のリッミトスイッチ機構におけるドグの係合構造は、試験機本体に対するドグの取り付け位置を移動する際に、ドグが、ワッシャ及び付勢部材を介して試験機本体の側壁に所定の圧力でスライド自在に支持されているので、その作業性の向上を図ることができると共に取り付け位置の微調整を容易にできる。
【００１４】
また、本発明の荷重試験機のリミットスイッチ機構におけるドグの取り付け構造によれば、ネジ部材は、軸部の前記頂部とは反対側に位置する端部がドグの端部から突出するように構成され、この突出部に、軸部の径方向に突出するストッパーが備えられ、ネジ部材を締め付けて側壁にドグが固定されている位置において、ストッパーとドグの端部との間に所定の間隙が構成され、ネジ部材を緩めてドグの固定が解除されている位置において、ストッパーがドグの端部に当接し、該軸部を、側壁の外側に向かう軸方向に係止するように構成されているので、ドグの固定を緩める際に、ネジ部材を回転させると、固定が解除されると共に、ストッパーがドグの端部に当接してその回転が制動され、ワッシャとネジ部材頂部との間に所定の間隙が構成され、付勢部材を介してこの間隙に依存する付勢圧がワッシャに加えられ、延いては、ドグが、本体側壁に沿って下方に滑り落ちることがないように支持される。そして、この際の付勢圧が、前記ストッパーの当接によって均一に維持される。
【００１５】
また、本発明の荷重試験機のリミットスイッチ機構におけるドグの取り付け構造によれば、コイル状のスプリング内方にネジ部材の第二の頂部が挿通され、スプリングの一端がネジ部材の第二の頂部に当接すると共に、スプリングの他端がワッシャに当接するように配設されているので、ドグを本体側壁に固定する際に、ネジ部材を回転させて締めつけると、ネジ部材の軸部がドグに羅合すると共に第二の頂部の端部がワッシャを加圧し、試験機本体の側壁がワッシャとドグとの間に挟着され、延いてはドグが試験機本体に固定される。一方、ドグの固定を緩める際に、前記と逆方向にネジ部材を回転させると、コイル状のスプリングを介して、ワッシャが試験機本体の側壁に付勢されているので、ドグが、本体側壁に沿って下方に滑り落ちることがないようにワッシャを介して側壁に支持される。また、この際、付勢部材がコイル状スプリングであって第二の頂部に挿通されているので、安定した付勢圧を発現できる。
【発明を実施するための最良の形態】
【００１６】
次に、本発明の荷重試験機の一実施例を図面にもとづいて説明する。図１は、本発明の一実施例の荷重試験機の外観図、図２は、同実施例の荷重試験機における図１の矢印Ｘ方向から表した外観図、図３は、同実施例の荷重試験機の図１におけるＹ−Ｙ断面図、図４は、同実施例の荷重試験機における当接材スライド機構を表す構造図。図５は、同実施例の荷重試験機の制御系を表すブロック図、図６は、同実施例の荷重試験機の図１におけるＺ−Ｚ断面図であって、同荷重試験機のリミットスイッチ機構におけるドグの係合構造を表す図である。
【００１７】
図１に表したように、荷重試験機１は、被試験物に荷重を加え、その荷重を計測する荷重計２、荷重計２を保持する保持部４、保持部４を上下にスライドさせるスライド機構を備えた移動装置３、スライド範囲の上限下限において支柱１５（所謂、本発明の試験機本体の側壁である）に固定されたドグ１２、１３、保持部４に固定されたリミットスイッチ（図４中の符号４４ａ、４４ｂ）、等を備え、保持部４のスライド動作に伴って、保持部４が所定の位置に達すると、リミットスイッチが作動し、そのスライド動作を停止するように構成されている。
【００１８】
また、荷重試験機１は、制御装置５の上面に設けられたテーブル１４、オペレータの操作に基づいて移動装置３及び荷重計２を作動させる制御装置５、制御装置５とパーソナルコンピュータ（図示せず）間のデータ通信を行うためのインタフェース接続ケーブル１１、等を備えている。
【００１９】
荷重計２は、電源キー２ａ、計測結果を表示する液晶ディスプレイ２ｂ、計測値をゼロに校正するゼロ点校正キー２ｓ、連続して読み取った荷重のピ−ク値の出力を指令するピーク出力キー２ｄ、荷重の単位を（例えばＫｇｆやＮなど）切り換える単位切換キー２ｅ、被試験物に張力又は押圧力を加える端子２ｆ等を備えている。また、荷重計２には、前述の各キーからの指令信号に基づいて計測動作を制御する駆動回路（図５中の符号２ｇ）が内蔵され、荷重計２と制御装置５とが通信用ケーブル（図示せず）で接続されている。
【００２０】
次に、移動装置３は、図３に表したように、制御装置５に直立して設けられ内方に空間を有する支柱１５、支柱１５内に収納されテーブル１４に直立して固定されたガイド棒６ａ、６ｂ、支柱１５の上部及び下部に固設された天板１９及び底板１８、天板１９及び底板１８に係合された軸受け１６、２０、軸受け１６、２０を介して回転自在に支持され、外周に沿って螺旋状のネジが形成されたスクリュー７、スクリュー７の回転動作に伴ってスクリュー７の軸方向に沿ってスライドすると共に荷重計２を固定する保持部４、等を備えている。
【００２１】
スクリュー７は、一端が軸受け１６に回動自在に接続され、他端が、カップリング（図示せず）を介して、制御装置５の内部に備えたモータの回転軸に接続されている。そして、移動装置３は、モータの回転動作を、スクリュー７及び保持部４を介して、荷重計２を上下にスライドする直線運動に変換するように構成されている。
【００２２】
ガイド棒６ａ、６ｂは、天板１９にボルト１７ａ、１７ｂによって固定され、底板１８にボルト２１ａ、２１ｂによって固定されている。
【００２３】
保持部４には、ガイド棒６ａ、６ｂがスライド自在に係合する貫通孔４ｂ、４ｃと、スクリュー７に羅合する雌ネジ４ｄが形成されている。また、支柱１５の周壁には上下に延出する開口孔（図１中の符号１５ａ）が形成され、保持部４がこの開口孔から外方に突出し、固定部（図２中の符号４ａ）を介して荷重計２を保持している。そして、保持部４は、開口孔１５ａ及びガイド棒６ａ、６ｂに沿って上下に移動するように構成されている。
【００２４】
次に、図１に表したように、制御装置５は、オペレータが荷重計２の計測動作及びスライド動作を操作するための操作パネル８を備えている。操作パネル８は、荷重計２のスライド速度を設定する速度設定ツマミ８ｂ、８ｃ、荷重計２のスライド方向を上方（矢印Ｕ方向）に指令する方向指令キー８ｄ、荷重計のスライド方向を下方（矢印Ｄ方向）に指令する方向指令キー８ｅ、各種計測動作モードを設定する計測モード選択キー８ｆ、計測動作モードにおける動作速度や変位量、荷重などを設定する液晶ディスプレイ８ｋ及び数値入力キー８ｍ、８ｎ、設定された計測モードに基づいて計測動作の開始を指令するスタートキー８ｐ、計測動作の停止を指令するストップキー８ｈ、等が備えられている。
【００２５】
図５に表したように、制御装置５には、移動装置３及び荷重計２の動作を制御する制御系１００が備えられている。制御系１００は、ＣＰＵ３１、ＲＯＭ３２、ＲＡＭ３３を中心とするマイクロコンピュータとして構成され、操作パネル８から入力される指令信号に基づき、ＣＰＵ３１がＲＯＭ３２、ＲＡＭ３３等を使用して各機能の処理を実行する。
【００２６】
また、制御系１００は、経過時間をカウントして経過時間を表す信号をＣＰＵ３１に出力する時間カウンター４３、ＣＰＵ３１からの出力信号に基づいてモータ３５に駆動信号を出力するモータ制御部３４、モータ制御部３４から入力された駆動信号に基づいて回転動作するモータ３５、モータ３５の回転力を直線運動に変換して荷重計３を図１中の矢印Ｕ及びＤ方向に移動させる移動装置３、等によって構成されている。
【００２７】
また、荷重計２は、被試験物に押圧力又は引張力を加え、その荷重をロードセル２ｄに伝達する端子２ｆ、端子２ｆを介して伝達された荷重に応じた電気信号を生成するロードセル２ｓ、ロードセル２ｓで生成された電気信号をデジタル信号に変換してＣＰＵ３１に出力する駆動回路２ｇ等を備えている。また、駆動回路２ｇは、前述の電源キー２ａ、ゼロ点校正キー２ｓ、ピーク出力キー２ｄ、単位切換キー２ｅ等から入力された指令信号、及びＣＰＵ３１から入力された指令信号に基づいて、荷重計２を制御する。
【００２８】
また、制御系１００は、ＣＰＵ３１と外部のパーソナルコンピュータとの間でデータをシリアルに送受信するインタフェース４０、例えばペンレコーダなどに、計測された荷重及び変位を電圧信号で出力するアナログ電圧出力部４１、荷重計２の所定のスライド位置で作動し、そのスライド動作を停止する停止信号をＣＰＵ３１に出力する上下一対のリミットスイッチ４４ａ、４４ｂ、オペレータが操作し指令信号をＣＰＵ３１に送るための操作パネル８等によって構成されている。
【００２９】
次に、図２に表したように、移動装置３は、支柱１５の側壁３ａ（所謂、本発明における試験機本体の側壁である。）に上下に延出するスライド孔１５ｂが形成され、上下一対のドグ１２及び１３をこのスライド孔１５ｂに沿ってスライドさせ所定の位置で係止できるように形成されている。詳しくは、図４に表したように、ドグ１２、１３は、ネジ部材９、１０を緩めたり締め付けしたりすることによってドグ１２、１３の位置をスライド孔１５ｂに沿って上下にスライドさせ、所定の位置で係止できるように構成されている。
【００３０】
次に、図４に表したように、荷重試験機１は、保持部４にスライド方向の間隙Ｃを介して設けられて所定のスライド位置においてドグ１２、１３に当接する当接材２５ａ、２５ｂと、当接材２５ａ、２５ｂを介してドグ１２、１３の反対側に間隙Ｃを介して設けられて保持部４に固定されたリミットスイッチ４４ａ、４４ｂと、当接材２５ａ、２５ｂが保持部４に向かって付勢された際に、当接材２５ａ、２５ｂを保持部４側にスライドさせてリミットスイッチ４４ａ、４４ｂに当接させ、リミットスイッチ４４ａ、４４ｂを作動させる当接材スライド機構と、を備えている。また、この当接材スライド機構は、保持部４の上下に、一対備えられている。なお、図１において一部破断し、この当接材スライド機構を符号Ｓで示している。
【００３１】
また、図４に表したように、当接材スライド機構は、軸方向が保持部４のスライド方向に沿って配設されて、一端が当接材２５ａ、２５ｂに接続され、他端側が保持部４にスライド方向にスライド自在に係合するスライド棒２２ａ、２２ｂと、スライド棒２２ａ、２２ｂの他端を当接材４に向かって付勢するスプリング２３ａ、２３ｂと、によって構成されている。
【００３２】
保持部４には、スライド棒２２ａ、２２ｂがスライド自在に係合するスライド貫通孔４ｊ、４ｋと、スライド貫通孔４ｊ、４ｋより大きく形成されスプリング２３ａ、２３ｂを収納する収納孔４ｍ、４ｎとが備えられている。そして、スライド棒２２ａ、２２ｂのスプリング２２ａ、２２ｂ側に位置する一端には、スライド貫通孔４ｊ、４ｋより大きい径を有する鍔部が形成され、この鍔部が収納孔４ｍ、４ｎの貫通孔４ｊ、４ｋ側に位置する底壁に当接し、当接材２５ａ、２５ｂの、保持部４から離間する方向におけるスライドを所定の範囲に規制するストッパーの機能を発現する。
【００３３】
また、収納孔４ｍ、４ｎにはキャップ２４ａ、２４ｂが係合し、スプリング２３ａ、２３ｂが収納孔４ｍ、４ｎに装着されてスライド棒２２ａ、２２ｂを押すように付勢している。
【００３４】
また、当接材２５ａ、２５ｂには、リミットスイッチ４４ａ、４４ｂに当接する当接部２６ａ、２６ｂと、スライド方向の間隙を介して保持部４のスライド方向の端部を覆う仕切部２７ａ、２７ｂと、が形成されている。
【００３５】
そして、保持部４が上方向（矢印Ｕ側）にスライドすると、ドグ１２が仕切部２７ａに当接し、当接材２５ａがスプリング２３ａの付勢力に抗するように保持部４側にスライドし、スイッチレバー４５ａが当接部２６ａに押圧されて、保持部４の上方向（矢印Ｕ方向）のスライド動作を停止させるように構成されている。
【００３６】
また、保持部４が下方向（矢印Ｄ側）にスライドすると、ドグ１３が仕切部２７ｂに当接し、当接材２５ｂがスプリング２３ｂの付勢力に抗するように保持部４側にスライドし、スイッチレバー４５ｂが当接部２６ｂに押圧されて、保持部４の下方向（矢印Ｄ方向）のスライド動作を停止させるように構成されている。
【００３７】
次に、本荷重試験機のリミットスイチ機構におけるドグの係合構造について、図６に基づいて説明する。尚、図６中の（ａ）は、ネジ部材９、１０を締め付けて側壁３ａにドグ１２，１３が固定されている状態図を表し、図６中の（ｂ）は、ネジ部材９、１０を緩めてドグ１２、１３の固定が解除されている状態図を表している。
【００３８】
図６に表したように、本荷重試験機のリミットスイチ機構におけるドグの係合構造は、荷重試験機本体１の支柱１５の側壁３ａに、スライド方向に沿って延出して形成されたスライド孔１５ｂを介して側壁３ａの内方に配設され、ネジ孔を備えたドグ１２、１３と、スライド孔１５を介して側壁３ａの外方に配設され、貫通孔５６ａ、５７ａを備えたワッシャ５６、５７と、軸方向が側壁３ａに直交して配設され、貫通孔５６ａ、５７ａ、スライド孔１５ｂを介してドグ１２、１３のネジ孔に羅合する軸部９ｄ、１０ｄを備えると共に、一端に軸部９ｄ、１０ｄの径より大きい径を有する頂部９ａ、１０ａを備えたネジ部材９、１０と、ネジ部材９及び１０の頂部９ａ及び１０ａとワッシャ５６、５７との間に配設され、ワッシャ５６、５７を側壁３ａに向かって付勢する付勢部材５８、５９と、を備えている。
【００３９】
また、ネジ部材９、１０は、頂部９ａ、１０ａと反対側に位置する軸部９ｄ、１０ｄの端部がドグ１２、１３の端部から突出するように構成され、この突出部に、軸部９ｄ、１０ｄの径方向に突出するストッパー６０、６１が備えられている。
【００４０】
そして、図６（ａ）に表したように、ネジ部材９、１０を締め付けて側壁３ａにドグ１２、１３が固定されている位置においては、ストッパー６０、６１とドグ１２、１３の端部との間に所定の間隙Ｓが構成されている。
また、図６（ｂ）に表したように、ネジ部材９、１０を緩めてドグ１２、１３の固定が解除されている位置においては、ストッパー６１、６１がドグ１２、１３の端部に当接すると共に、ワッシャと第二の頂部との間に間隙Ｓが構成され、ネジ部材９、１０の軸部を側壁３ａの外側に向かう軸方向に係止するように構成され、且つ、ワッシャ５６、５７が付勢部材５８、５９によって、側壁３ａに向かって付勢される。
【００４１】
また、ネジ部材９、１０の頂部９ａ、１０ａは、端部に設けられた大径部と、一端が軸部９ｄ、１０ｄに連結すると共に他端が大径部に連結し、軸部の径より大きく大径部の径より小さい径を有する第二の頂部９ｃ、１０ｃを備え、第二の頂部９ｃ、１０ｃが、ワッシャ５６、５７を介して側壁３ａの反対側に配設されている。
【００４２】
また、付勢部材は５８、５９は、線材を螺旋状に巻いて構成されたコイル状のスプリングであって、コイル状のスプリング内方に第二の頂部９ｃ、１０ｃが挿通され、スプリングの一端が、ネジ部材９、１０の頂部９ａ、１０ａに当接し頂部９ａ、１０ａを側壁３ａと反対方向に付勢すると共に、このスプリングの他端が、ワッシャ５６、５７に当接してワッシャ５６、５７を側壁３ａに向かって付勢するように配設されている。
【００４３】
次に、前記の構成を有する荷重試験機１のリミットスイッチ機構における、ドグ１２、１３の係合構造の作用効果を記載する。
【００４４】
本実施例の荷重試験機１のリッミトスイッチ機構におけるドグ１２、１３の係合構造によれば、ドグ１２、１３を試験機本体の側壁３ａに固定する際に、ネジ部材９、１０を回転させて締めつけると、ネジ部材９、１９の軸部９ｄ、１０ｄがドグ１２、１３に羅合し、側壁３ａがワッシャ５６、５７とドグ１２、１３との間に挟着され、延いてはドグ１２、１３が試験機本体に固定される。一方、ドグ１２、１３の固定を緩める際に、前記と逆方向にネジ部材９、１０を回転させると、固定が解除される。この際、付勢部材５８、５９を介して、ワッシャ５６、５７が試験機本体の側壁３ａに付勢されているので、ドグ１２、１３が、側壁３ａに沿って下方に滑り落ちることがないようにワッシャ５６、５７を介して側壁３ａに向かって付勢される。これにより、本実施例の荷重試験機１のリッミトスイッチ機構におけるドグ１２、１３の係合構造は、試験機本体に対するドグ１２、１３の取り付け位置を移動する際に、ドグ１２、１３が、ワッシャ５６、５７及び付勢部材５８、５９を介して試験機本体の側壁３ａに所定の圧力でスライド自在に支持されているので、その作業性の向上を図ることができると共に取り付け位置の微調整を容易にできる。
【００４５】
また、本実施例に記載の荷重試験機１のリミットスイッチ機構におけるドグ１２、１３の取り付け構造によれば、ネジ部材１２、１３は、軸部９ｄ、１０ｄの頂部９ａ、１０ａと反対側に位置する端部がドグ１２、１３の端部から突出するように構成され、この突出部に、軸部９ｄ、１０ｄの径方向に突出するストッパー６０、６１が備えられ、ネジ部材９、１０を締め付けて側壁にドグが固定されている位置（図３の（ａ））において、ストッパー６０、６１とドグ１２、１３の端部との間に所定の間隙Ｓが構成され、ネジ部材９、１０を緩めてドグ１２、１３の固定が解除されている位置（図３の（ｂ））において、ストッパー６０、６１がドグ１２、１３の端部に当接し、軸部９ｄ、１０ｄを、側壁３ａの外方に向かう軸方向に、係止するように構成されているので、ドグ１２、１３の固定を緩める際に、ネジ部材９、１０を回転させると、固定が解除されると共に、ストッパー６０、６１がドグ１２、１３の端部に当接してその回転が制動され、ワッシャ５６、５７とネジ部材９、１９の頂部９、１０との間に所定の間隙Ｓが構成され、付勢部材を介してこの間隙に依存する付勢圧がワッシャに加えられ、延いては、ドグが、本体側壁に沿って下方に滑り落ちることがないように支持される。そして、この際の付勢圧が、ストッパー１２、１３がドク１２、１３に当接することによって均一に維持される。
【００４６】
本実施例に記載の荷重試験機１のリミットスイッチ機構におけるドグの取り付け構造によれば、付勢部材５８、５９（コイル状のスプリング）の内方に第二の頂部９ｃ、１０ｃが挿通され、スプリングの一端がネジ部材９、１０の頂部９ａ、１０ａに当接すると共に、スプリングの他端がワッシャ５６、５７に当接するように配設されているので、ドグ１２、１３を本体側壁に固定する際に、ネジ部材を回転させて締めつけると、ネジ部材の軸部がドグに羅合すると共に第二の頂部の端部がワッシャを加圧し、、試験機本体の側壁がワッシャとドグとの間に挟着され、延いてはドグが試験機本体に固定される。一方、ドグ１２、１３の固定を緩める際に、前記と逆方向にネジ部材９、１０を回転させると、コイル状のスプリングを介して、ワッシャ５６、５７が試験機本体の側壁３ａに付勢されているので、ドグ１２、１３が、試験機本体の側壁３ａに沿って下方に滑り落ちることがないようにワッシャ５６、５７を介して側壁３ａに支持される。また、この際、付勢部材５８、５９がコイル状スプリングであって、このコイルの内方に第二の頂部９ｃ、１０ｃが挿通されているので、安定した付勢圧を発現できる。
【００４７】
以上、本発明の一実施例について説明したが、本発明は、前記実施例に限定されるものでなく、種各の態様を取ることができる。
【図面の簡単な説明】
【００４８】
【図１】本発明の一実施例の荷重試験機の外観図である。
【図２】同実施例の荷重試験機における、図１の矢印Ｘ方向から表した外観図である。
【図３】同実施例の荷重試験機の図１におけるＹ−Ｙ断面である。
【図４】同実施例の荷重試験機における当接材スライド機構を表す構造図である。
【図５】同実施例の荷重試験機の制御系を表すブロック図である。
【図６】同実施例の荷重試験機の図１におけるＺ−Ｚ断面図であって、同荷重試験機のリミットスイッチ機構におけるドグの係合構造を表す図である。
【符号の説明】
【００４９】
１…荷重試験機、２…荷重計、２ａ…電源キー、２ｂ…液晶表示部、２ｄ…ピーク出力キー、２ｅ…測定単位切換キー、２ｆ…端子、２ｓ…ロードセル、３…移動装置、３ａ…側壁、４…保持部、４ｂ，４ｃ…貫通孔、４ｄ…雌ネジ、４ｊ，４ｋ…スライド貫通孔、４ｍ，４ｎ…収納孔、５…制御装置、６ａ，６ｂ…ガイド棒、７…スクリュー、８…操作パネル、９，１０…ネジ部材、９ａ，１０ａ…頂部、９ｂ，１０ｂ…ネジ部、９ｃ，１０ｃ…第二の頂部、９ｄ，１０ｄ…軸部、１１…インタフェース接続ケーブル、１２、１３…ドグ、１４…テーブル、１５…支柱、１５ａ…開口孔、１５ｂ…スライド孔、１６，２０…軸受け、１７ａ，１７ｂ，２１ａ，２１ｂ…ボルト、１８…底板、１９…天板、２２ａ，２２ｂ…スライド棒、２３ａ，２３ｂ…スプリング、２４ａ，２４ｂ…キャップ、２５ａ，２５ｂ…当接材、２６ａ，２６ｂ…当接部、２７ａ，２７ｂ…遮蔽部、３１…ＣＰＵ、３２…ＲＯＭ、３３…ＲＡＭ、３４…モータ制御部、３５…モータ、４０…インタフェース、４１…アナログ電圧出力部、４３…時間カウンター、４４ａ、４４ｂ…リミットスイッチ、４５ａ，４５ｂ…スイッチレバー、５６，５７…ワッシャ、５８，５９…付勢部材、５６ａ、５７ａ…貫通孔、６０，６１…ストッパー、１００…制御系。
【図１】
2006327731.tif 000003
【図２】
2006327731.tif 000004
【図３】
2006327731.tif 000005
【図４】
2006327731.tif 000006
【図５】
2006327731.tif 000007
【図６】
2006327731.tif 000008